(57)【要約】【課題】  凝っている部位を集中的に効率良くマッサージ可能な空気式携帯マッサージ具を提供することを目的とする。【解決手段】  空気式携帯マッサージ具１は、充填した空気の反発力により使用者の脊髄又は腰椎とその周辺組織の受圧面を押圧して凝り部分を解すためのものであり、主に揉み玉２と基板部３から構成されている。揉み玉２は、身体の受圧面に接触する弾性を有する塩化ビニール製で略球状の押圧部４と、該押圧部の一部に係止機能を有する固定部６と、該押圧部の一部に空気を注入及び排出可能な空気注入口１１とを備えている。この押圧部４の表面上には複数の突起５が形成されている。【選択図】図１
2007136189.tif 000002
【特許請求の範囲】
【請求項１】
充填した空気の反発力により使用者の脊髄又は腰椎とその周辺組織の受圧面を押圧して凝り部分を解す空気式携帯マッサージ具であって、
受圧面に接触する弾性を有する球状又は回転楕円体状の押圧部と、該押圧部の一部に係止機能を有する固定部と、該押圧部の一部に空気を注入及び排出可能な空気注入口と、を有する揉み玉と、
椅子等の背凭れに当接可能で前記固定部を係止する係止部を有する基板部と、を備えることを特徴とする空気式携帯マッサージ具。
【請求項２】
前記押圧部が、複数の突起を表面上に有することを特徴とする請求項１記載の空気式携帯マッサージ具。
【請求項３】
前記押圧部の当接部分が、前記受圧面に対して上下及び左右にスイング可能であることを特徴とする請求項１又は２記載の空気式携帯マッサージ具。
【請求項４】
前記固定部が、前記係止部上を上下方向又は左右方向に摺動可能であることを特徴とする請求項１〜３のいずれかに記載の空気式携帯マッサージ具。
【請求項５】
前記揉み玉が、前記基板部上に左右又は上下に一対設けられていることを特徴とする請求項１〜４のいずれかに記載の空気式携帯マッサージ具。
【発明の詳細な説明】
【技術分野】
【０００１】本発明は、充填した空気の反発力により使用者の脊髄又は腰椎とその周辺組織の受圧面を押圧して凝り部分を解す空気式携帯マッサージ具に関する。
【背景技術】
【０００２】  従来の空気式マッサージ具は、塩化ビニール等の合成樹脂素材からなる扁平状空気袋に空気を充填した指圧具が知られている（例えば、特許文献１参照）。
【特許文献１】特開２００３−３３４２３２号公報
【発明の開示】
【発明が解決しようとする課題】
【０００３】  上述した従来のエアークッションは、平面状、扁平状又はドーナツ状であるが、脊髄や腰椎の凝り部分をピンポイントで集中的に解したいときには、十分な指圧効果が得られなかった。【０００４】  本発明は、上記事情に鑑みてなされたものであり、凝っている部位を集中的に効率良くマッサージ可能な空気式携帯マッサージ具を提供することを目的とする。
【課題を解決するための手段】
【０００５】  １）本発明の空気式携帯マッサージ具は、充填した空気の反発力により使用者の脊髄又は腰椎とその周辺組織の受圧面を押圧して凝り部分を解す空気式携帯マッサージ具であって、受圧面に接触する弾性を有する球状又は回転楕円体状の押圧部と、該押圧部の一部に係止機能を有する固定部と、該押圧部の一部に空気を注入及び排出可能な空気注入口と、を有する揉み玉と、椅子等の背凭れに当接可能で前記固定部を係止する係止部を有する基板部と、を備えることを特徴とする。【０００６】  前記構成の空気式携帯マッサージ具では、受圧面に接触する弾性を有する球状又は回転楕円体状の押圧部と、該押圧部の一部に係止機能を有する固定部と、該押圧部の一部に空気を注入及び排出可能な空気注入口と、を有する揉み玉と、椅子等の背凭れに当接可能で前記固定部を係止する係止部を有する基板部と、を備えているので、適量の空気を空気注入口から充填した揉み玉が、その固定部を基板部の係止部に取り付けることにより、携帯可能な空気式マッサージ具を容易に組み立てることができる。【０００７】  この空気式携帯マッサージ具を椅子等の背凭れに当接させた状態で、使用者が椅子に座り、脊髄、腰椎又はその周辺組織の凝っている部位を揉み玉に押し当て、自分の身体を、例えば横方向又は縦方向に微少量ずらすことで、その動きに追従するように揉み玉の押圧部が使用者の凝り部分を押圧する。これにより、使用者の凝り部分をマッサージすることができ、凝り部分を集中的に効率良く解すことができる。【０００８】  ２）本発明の空気式携帯マッサージ具は、前記１）記載の空気式携帯マッサージ具において、前記押圧部が複数の突起を表面上に有することを特徴とする。【０００９】  前記構成の空気式携帯マッサージ具では、押圧部の表面上に複数の突起を有するので、凝り部分をピンポイントでマッサージする指圧効果を一層向上させることができる。【００１０】  ３）本発明の空気式携帯マッサージ具は、前記１）又は２）記載の空気式携帯マッサージ具において、前記押圧部の当接部分が前記受圧面に対して上下及び左右にスイング可能であることを特徴とする。【００１１】  前記構成の空気式携帯マッサージ具では、押圧部の当接部分が受圧面に対して上下及び左右にスイング可能であるので、身体を横方向又は縦方向へ微少量ずらすことで、その動きに追従して揉み玉が固定部を中心に微少量揺動する。この揉み玉の揺動によって使用者の凝り部分を集中的に一層効率良く解すことができる。【００１２】  ４）本発明の空気式携帯マッサージ具は、前記１）〜３）のいずれかに記載の空気式携帯マッサージ具において、前記固定部が前記係止部上を上下方向又は左右方向に摺動可能であることを特徴とする。【００１３】  前記構成の空気式携帯マッサージ具では、固定部が係止部上を上下方向又は左右方向に摺動可能であるので、使用者の凝り部分の位置や体形に合わせて揉み玉を位置調整することができる。【００１４】  ５）本発明の空気式携帯マッサージ具は、前記１）〜４）のいずれかに記載の空気式携帯マッサージ具において、前記揉み玉が前記基板部上に左右又は上下に一対設けられていることを特徴とする。【００１５】  前記構成の空気式携帯マッサージ具��は、揉み玉が基板部上に左右又は上下に一対設けられているので、２箇所の凝り部分、例えば背骨の左右両側や脊髄と腰椎を同時にマッサージすることができる。
【発明の効果】
【００１６】  本発明の空気式携帯マッサージ具によれば、使用者自身が身体の凝っている部位を集中的に効率良くマッサージすることができるマッサージ具を得ることができる。
【発明を実施するための最良の形態】
【００１７】以下、本発明の空気式携帯マッサージ具の実施形態を説明する。
図１は本発明の第１実施形態である空気式携帯マッサージ具を示す斜視図、図２は図１における平面図、図３は図２におけるＡ−Ａ断面図、図４は図２におけるＢ−Ｂ断面図である。また、図５は図１における作用説明図、図６は図１の変形例を示す斜視図である。【００１８】  図１に示すように本実施形態の空気式携帯マッサージ具１は、充填した空気の反発力により使用者の脊髄又は腰椎とその周辺組織の受圧面を押圧して凝り部分を解すためのものであり、主に揉み玉２と基板部３から構成されている。揉み玉２は、身体の受圧面に接触する弾性を有する塩化ビニール製で略球状の押圧部４と、該押圧部の一部に係止機能を有する固定部６とを備えている。【００１９】図２〜図４に示すように、押圧部４は、その表面上に半球状の突起５が複数形成されており、この突起５が使用者の凝り部分に当接する。また、押圧部４の裏面側は、固定部６表面と当接する凹球状の支持部９が形成されており、その中央部分には  押圧部４内に空気を注入及び押圧部４から空気を排出するための空気注入口１１が設けられている。また、この空気注入口１１の周辺には、固定部６に取り付けるための環状の取付部１０が設けられている。【００２０】固定部６は、半球状の合成樹脂製であり、この球面部分に押圧部４の裏面部分が取り付けられることで、押圧部４と固定部６は一体化される。この固定部６は、ポンプ収納室１７を有する取付球面台６ａと、該取付球面台６ａの裏面側を覆い、取り外し自在の蓋部１２と、ポンプ収納室１７内に収納され、押圧部４内に空気を注入及び押圧部４から空気を排出するためのポンプ１４とを備えている。【００２１】取付球面台６ａは、上記支持部９に対応した半球状であり、頂上部に上記取付部１０を挿着する取付孔６ｂを備えている。また、ポンプ１４は、伸縮自在の蛇腹形状であり、上記空気注入口１１に接続される連結チューブ１５を一端部に備えている。【００２２】蓋部１２は、円盤状であり、裏面側の中心に縦長の突出部であるスライドベース１２ａと、該スライドベース１２ａ中央に嵌め込まれ、後述する基板部３に取り付けるためのマグネット８とを備えている。また、押圧部４の支持部９と固定部６の取付球面台６ａとの当接部分を覆う可撓性のスイングカバー１６が取り付けられている。【００２３】これにより、図５に示すように、例えば使用者が受圧面を左右方向に動かすことで、押圧部４が左右方向の押圧部４ａ，４ｂまで変位することが可能であり、同様に上下方向も可能であるので３６０°スイング可能であり、さらには前後方向への伸縮も可能である。【００２４】  基板部３は、平板状で椅子等の背凭れに当接可能であり、表側面の中央に揉み玉２の固定部６を係止する縦長溝であり、底面に鉄板１３が装着されている係止部７が設けられている。したがって、揉み玉２の固定部６は係止部７上を上下方向に摺動可能である。【００２５】  次に、本実施形態の空気式携帯マッサージ具の使用方法について説明する。
先ず、図２〜図４に示したように、蓋部１２を取り外した状態でポンプ１４により適量の空気を空気注入口１１から充填する。そして、蓋部１２を取り付け、揉み玉２の固定部６が基板部３の係止部７の最適位置にマグネット８によって取り付けられることにより、携帯可能な空気式マッサージ具１を容易に組み立てることができる。【００２６】この空気式携帯マッサージ具１を椅子等の背凭れに当接させた状態で、使用者が椅子に座り、脊髄、腰椎又はその周辺組織の凝っている部位を揉み玉２に押し当てる。そして、図５に示したように、自分の身体を、例えば、横方向や縦方向に微少量ずらすことで、その動きに追従するように揉み玉２の押圧部４が使用者の凝り部分を押圧する。これにより、使用者の凝り部分を集中的にマッサージすることができ、凝り部分を効率良く解すことができる。【００２７】  また、押圧部４の表面上にある複数の突起５が、凝り部分をピンポイントでマッサージするので、一層指圧効果を向上させることができる。また、押圧部４の当接部分が受圧面に対して上下及び左右方向にスイング（揺動）できるので、使用者の凝り部分の周辺も効率良く解すことができる。【００２８】また、固定部６のマグネット８を係止部７上で適宜上下方向に摺動させて、使用者の凝り部分の位置や体形に合わせて揉み玉２を位置調整することができる。また、基板部３を横に倒して使用することも可能であり、揉み玉２を左右方向に位置調整して使用することもできる。【００２９】なお、上記実施形態の空気式携帯マッサージ具１では、揉み玉が１個の場合を説明したが、図６に示すように、空気式携帯マッサージ具１０では、揉み玉２が基板部３上の左右に一対設けることも可能である。これによれば、２箇所の凝り部分、例えば背骨の左右両側を同時にマッサージすることができる。また、中央部分にヒンジ部を設けて、中央部分で折りたためるようにすれば、不使用時には揉み玉２を取り外してから、基板部３をコンパクト化して手提げバック等に入れて、持ち運ぶことも可能である。その他の構成及び作用は同じである。【００３０】次に、本発明の第２実施形態である空気式携帯マッサージ具２０について説明する。図７は本発明の第２実施形態である空気式携帯マッサージ具を示す斜視図、図８は図７における平面図、図９は図８におけるＣ−Ｃ断面図、図１０は図８におけるＤ−Ｄ断面図である。【００３１】図７に示すように本実施形態の空気式携帯マッサージ具２０は、主に揉み玉２２と基板部２３から構成されており、揉み玉２２は、身体の受圧面に接触する弾性を有する塩化ビニール製で略回転楕円体状の押圧部２４と、該押圧部の一部に係止機能を有する固定部２６とを備えている。この押圧部２４の表面上には半球状の突起２５が複数形成されており、この突起２５が使用者の凝り部分に当接する。【００３２】図８〜図１０に示すように、押圧部２４の裏面側は、固定部２６表面と当接する凹状の半回転楕円体の支持部３２が形成されており、その中央部分には  押圧部２４内に空気を注入及び押圧部２４から空気を排出するための空気注入口３３が設けられている。また、この空気注入口３３の周辺には、固定部２６に取り付けるための環状の取付部３４が設けられている��【００３３】固定部２６は、弾性を有する半回転楕円体状の合成樹脂製であり、この楕円体面部分に押圧部２４の裏面部分が取り付けられることで、押圧部２４と固定部２６は一体化される。この固定部２６は、ポンプ収納室３６を有する取付球面台２６ａと、該取付球面台２６ａの裏面側を覆い、取り外し自在の蓋部３５と、ポンプ収納室３６内に収納され、押圧部２４内に空気を注入及び押圧部２４から空気を排出するためのポンプ３０とを備えている。【００３４】取付球面台２６ａは、上記支持部３２に対応した半回転楕円体状であり、頂上部に上記取付部３４を挿着する取付孔２６ｂを備えている。また、ポンプ３０は、伸縮自在の蛇腹形状であり、上記空気注入口３３に接続される連結チューブ３１を一端部に備えている。【００３５】蓋部３５は、その裏面側の中心に縦長の突出部であるスライドベース３５ａと、該スライドベース３５ａ中央に嵌め込まれ、後述する基板部２３に取り付けるためのマグネット２８とを備えている。これにより、使用者の受圧面に対して押圧部２４が上下方向、左右方向及び前後方向へのスイング（揺動）が可能である。【００３６】  基板部２３は、平板状で椅子等の背凭れに当接可能であり、表側面の中央に揉み玉２２の固定部２６を係止する縦長溝であり、底面に鉄板２９が装着されている係止部２７が設けられている。したがって、揉み玉２２の固定部２６は係止部２７上を上下方向に摺動可能である。【００３７】次に、本実施形態の空気式携帯マッサージ具の使用方法について説明する。
先ず、図８〜図１０に示すように、蓋部３５を取り外した状態でポンプ３０により適量の空気を空気注入口３３から充填する。そして、蓋部３５を取り付け、揉み玉２２の固定部２６がマグネット２８によって基板部２３側の係止部２７の最適位置に取り付けられる。【００３８】この空気式携帯マッサージ具２０を椅子等の背凭れに当接させた状態で、使用者が椅子に座り、脊髄、腰椎又はその周辺組織の凝っている部位、特に横方向に長いので背骨の両側や両肩を回転楕円体状の揉み玉２２に押し当てる。そして、自分の身体を、横方向や縦方向に微少量ずらすことで、その動きに追従するように揉み玉２２の押圧部２４が使用者の凝り部分を押圧する。これにより、使用者の凝り部分を集中的にマッサージすることができ、凝り部分を効率良く解すことができる。なお、その他の構成及び作用効果に関しては、上記第１実施形態と同様なので説明を省略する。【００３９】  本発明により得られる空気式携帯マッサージ具は、使用者一人一人異なる凝り具合、凝っている部位にそれぞれ適応させたマッサージを可能とする。また、腰痛防止、座位姿勢をリラックス状態に維持できるので、腰痛予防にも効果がある。
【図面の簡単な説明】
【００４０】
【図１】本発明の第１実施形態である空気式携帯マッサージ具を示す斜視図である。
【図２】図１における平面図である。
【図３】図２におけるＡ−Ａ断面図である。
【図４】図２におけるＢ−Ｂ断面図である。
【図５】図１における作用説明図である。
【図６】図１の変形例を示す斜視図である。
【図７】本発明の第２実施形態である空気式携帯マッサージ具を示す斜視図である。
【図８】図７における平面図である。
【図９】図８におけるＣ−Ｃ断面図である。
【図１０】図８におけるＤ−Ｄ断面図である。
【符号の説明】
【００４１】１，１０，２０  空気式携帯マッサージ具
２，２２  揉み玉
３，２３  基板部
４，２４  押圧部
５，２５  突起
７，２７  係止部
８，２８  マグネット
１１，３３  空気注入口
１２，３５  蓋部
１４，３０  ポンプ
【図１】
2007136189.tif 000003
【図２】
2007136189.tif 000004
【図３】
2007136189.tif 000005
【図４】
2007136189.tif 000006
【図５】
2007136189.tif 000007
【図６】
2007136189.tif 000008
【図７】
2007136189.tif 000009
【図８】
2007136189.tif 000010
【図９】
2007136189.tif 000011
【図１０】
2007136189.tif 000012